(57)【要約】【課題】  撮影フィルム上の撮影画面内の領域および撮影画面外の領域のそれぞれに  データを写し込み可能な小型のカメラ用データ写し込み装置およびそのカメラ用データ写し込み装置を備えたカメラを提供すること。【解決手段】  撮影フィルム上の撮影画面内の領域に写し込むデータを表示する第１の液晶表示素子と、撮影フィルム上の撮影画面外の領域に写し込むデータを表示する第２の液晶表示素子と、第１の液晶表示素子を照明する第１の光源と、第２の液晶表示素子を照明する第２の光源と、第１の液晶表示素子および第２の液晶表示素子を制御するとともに、第１の光源および第２の光源を点灯または消灯してデータの写し込みを行う制御部とを備え、第２の液晶表示素子は、その一部に、第１の液晶表示素子が表示するデータと同一のデータを表示する表示領域を有し、制御部は、同一の制御信号を用いて第１の液晶表示素子と表示領域とを制御し、第１の液晶表示素子と表示領域とに同一のデータを表示させる。【選択図】      図２
2006119190.tif 000002
【特許請求の範囲】
【請求項１】
撮影フィルム上の撮影画面内の領域に写し込むデータを表示する第１の液晶表示素子と、
前記撮影フィルム上の撮影画面外の領域に写し込むデータを表示する第２の液晶表示素子と、
前記第１の液晶表示素子を照明する第１の光源と、
前記第２の液晶表示素子を照明する第２の光源と、
前記第１の液晶表示素子および前記第２の液晶表示素子を制御するとともに、前記第１の光源および前記第２の光源を点灯または消灯して前記データの写し込みを行う制御部とを備え、
前記第２の液晶表示素子は、その一部に、前記第１の液晶表示素子が表示するデータと同一のデータを表示する表示領域を有し、
前記制御部は、同一の制御信号を用いて前記第１の液晶表示素子と前記表示領域とを制御し、前記第１の液晶表示素子と前記表示領域とに同一のデータを表示させる
ことを特徴とするカメラ用データ写し込み装置。
【請求項２】
請求項１に記載のカメラ用データ写し込み装置において、
前記第２の光源は、前記表示領域を照明する第１の光源部と、前記第２の液晶表示素子のうち前記表示領域を除く部分を照明する第２の光源部とを有し、
前記制御部は、前記第１の光源と前記第１の光源部と前記第２の光源部とを独立に点灯または消灯可能である
ことを特徴とするカメラ用データ写し込み装置。
【請求項３】
請求項１または請求項２に記載のカメラ用データ写し込み装置において、
前記制御部は、前記表示領域に表示させるデータの種類に応じて、前記第１の光源を点灯または消灯する
ことを特徴とするカメラ用データ写し込み装置。
【請求項４】
請求項２に記載のカメラ用データ写し込み装置において、
前記制御部は、前記第１の光源と前記第１の光源部とのいずれかを点灯させて前記データの写し込みを行い、前記第１の光源を点灯して前記データの写し込みを行う際と、前記第１の光源部を点灯して前記データの写し込みを行う際とで、前記第１の液晶表示素子および前記表示領域に表示させる前記データを変更する
ことを特徴とするカメラ用データ写し込み装置。
【請求項５】
請求項１から請求項４のいずれか１項に記載のカメラ用データ写し込み装置を備えた
ことを特徴とするカメラ。
【発明の詳細な説明】
【技術分野】
【０００１】
本発明は、撮影フィルム上にデータを写し込むカメラ用データ写し込み装置およびそのカメラ用データ写し込み装置を備えたカメラに関する。
【背景技術】
【０００２】
従来より、撮影フィルム上にデータを写し込むカメラ用データ写し込み装置が知られている（例えば、特許文献１参照）。このような装置は、撮影フィルム面と対向した位置に配置された液晶表示素子に所望データをネガ表示させ、光源からの光を透過させることによって撮影フィルム上にデータを写し込む構成のものが多い。
撮影フィルム上に写し込むデータとしては、撮影時の日付や、シャッタスピードや絞りなどの撮影条件があり、日付などは撮影フィルム上の撮影画面内の領域に写し込まれ、撮影条件などは撮影フィルム上の撮影画面外の領域（撮影画面と撮影画面との間の領域）に写し込まれることが多い。
【特許文献１】特開平６−６７２８３号公報
【発明の開示】
【発明が解決しようとする課題】
【０００３】
前述した撮影フィルム上の撮影画面内の領域と撮影画面外の領域とに別々にデータの写し込みをするには、写し込み装置を撮影画面内の領域に対応する部分と撮影画面外の領域に対応する部分とで２つ備える必要がある。しかし、写し込み装置を２つ備えると、カメラが大型化するという問題があった。
本発明は、撮影フィルム上の撮影画面内の領域および撮影画面外の領域のそれぞれにデータを写し込み可能な小型のカメラ用データ写し込み装置およびそのカメラ用データ写し込み装置を備えたカメラを提供することを目的とする。
【課題を解決するための手段】
【０００４】
請求項１に記載のカメラ用データ写し込み装置は、撮影フィルム上の撮影画面内の領域に写し込むデータを表示する第１の液晶表示素子と、前記撮影フィルム上の撮影画面外の領域に写し込むデータを表示する第２の液晶表示素子と、前記第１の液晶表示素子を照明する第１の光源と、前記第２の液晶表示素子を照明する第２の光源と、前記第１の液晶表示素子および前記第２の液晶表示素子を制御するとともに、前記第１の光源および前記第２の光源を点灯または消灯して前記データの写し込みを行う制御部とを備え、前記第２の液晶表示素子は、その一部に、前記第１の液晶表示素子が表示するデータと同一のデータを表示する表示領域を有し、前記制御部は、同一の制御信号を用いて前記第１の液晶表示素子と前記表示領域とを制御し、前記第１の液晶表示素子と前記表示領域とに同一のデータを表示させることを特徴とする。
【０００５】
請求項２に記載のカメラ用データ写し込み装置は、請求項１に記載のカメラ用データ写し込み装置において、前記第２の光源は、前記表示領域を照明する第１の光源部と、前記第２の液晶表示素子のうち前記表示領域を除く部分を照明する第２の光源部とを有し、前記制御部は、前記第１の光源と前記第１の光源部と前記第２の光源部とを独立に点灯または消灯可能であることを特徴とする。
【０００６】
請求項３に記載のカメラ用データ写し込み装置は、請求項１または請求項２に記載のカメラ用データ写し込み装置において、前記制御部は、前記表示領域に表示させるデータの種類に応じて、前記第１の光源を点灯または消灯することを特徴とする。
請求項４に記載のカメラ用データ写し込み装置は、請求項２に記載のカメラ用データ写し込み装置において、前記制御部は、前記第１の光源と前記第１の光源部とのいずれかを点灯させて前記データの写し込みを行い、前記第１の光源を点灯して前記データの写し込みを行う際と、前記第１の光源部を点灯して前記データの写し込みを行う際とで、前記第１の液晶表示素子および前記表示領域に表示させる前記データを変更することを特徴とする。
【０００７】
請求項５に記載のカメラは、請求項１から請求項４のいずれか１項に記載のカメラ用データ写し込み装置を備えたことを特徴とする。
【発明の効果】
【０００８】
本発明によれば、撮影フィルム上の撮影画面内の領域および撮影画面外の領域のそれぞれにデータを写し込み可能な小型のカメラ用データ写し込み装置およびそのカメラ用データ写し込み装置を備えたカメラを提供することができる。
【発明を実施するための最良の形態】
【０００９】
以下、図面を用いて本発明の実施形態について説明する。なお、以下の各実施形態では、本発明のカメラ用データ写し込み装置を備えたカメラを用いて説明を行う。
《第１実施形態》
図１は、第１実施形態のカメラ１００の機能ブロック図である。図１に示すように、カメラ１００は、撮像部１０、ＣＰＵ１１、不図示のレリーズボタンなどを含む操作部材１２、計時部１３、写し込みモジュール１４を備える。
【００１０】
撮像部１０は、従来のカメラと同様に、不図示の光学系、測光手段、フィルム巻き上げ手段、焦点調節手段などを備える。そして、シャッタスピードや絞りなどの撮影条件を示す情報をＣＰＵ１１に供給する。また、ＣＰＵ１１は、撮像部１０および写し込みモジュール１４を制御するとともに、操作部材１２の状態を検知する。また、計時部１３は、日付、時間などの情報をＣＰＵ１１に供給する。
【００１１】
次に、本発明の特徴である写し込みモジュール１４について説明する。本実施形態の写し込みモジュール１４は、撮影フィルム上の撮影画面内の領域および撮影画面外の領域のそれぞれにデータを写し込むためのモジュールである。写し込みモジュール１４は、図２に示すように、撮影フィルム上の撮影画面内の領域に写し込むデータを表示する液晶表示素子である画面内写し込みＬＣＤ２０、撮影フィルム上の撮影画面外の領域に写し込むデータを表示する液晶表示素子である画面外写し込みＬＣＤ２１、画面内写し込みＬＣＤ２０および画面外写し込みＬＣＤ２１を制御するＬＣＤドライバ２２、画面内写し込みＬＣＤ２０を照明する画面内写し込み光源部２３、画面外写し込みＬＣＤ２１を照明する画面外写し込み光源部２４を備える。各光源は、タングステンランプや発光ダイオードなどにより構成される。なお、ＣＰＵ１１は、撮像部１０により供給された撮影条件を示す情報や、計時部１３により供給された日付、時間などの情報をＬＣＤドライバ２２に供給してＬＣＤドライバ２２を制御するとともに、画面内用写し込み信号Ｓ１および画面外用写し込み信号Ｓ２に基づいて、画面内写し込み光源部２３および画面外写し込み光源部２４を点灯してデータの写し込みを行う。なお、本実施形態では撮影画面内に写し込むデータと同じデータを撮影画面外にも写し込み可能な構成とする。また、写し込みモジュール１４を駆動制御する電源および画面内写し込み光源部２３および画面外写し込み光源部２４を駆動するための電源もカメラ１００本体から写し込みモジュール１４へ供給される。このような構成にすることにより、写し込みモジュール１４の小型化を可能にしている。
【００１２】
また、画面内写し込みＬＣＤ２０に表示されたデータが写し込まれる撮影画面内の領域は、図３のアに示す領域であり、画面外写し込みＬＣＤ２１に表示されたデータが写し込まれる撮影画面外の領域は、図３のイに示す領域である。
なお、画面内写し込みＬＣＤ２０は、請求項の「第１の液晶表示素子」に対応し、画面外写し込みＬＣＤ２１は、請求項の「第２の液晶表示素子」に対応する。また、画面内写し込み光源部２３は、請求項の「第１の光源」に対応し、画面外写し込み光源部２４は、請求項の「第２の光源」に対応する。また、ＣＰＵ１１およびＬＣＤドライバ２２は、請求項の「制御部」に対応する。
【００１３】
画面外写し込みＬＣＤ２１は、図４に示すように、表示領域２１Ａと表示領域２１Ｂとを有する。表示領域２１Ｂは、後述するように、画面内写し込みＬＣＤ２０が表示するデータと同一のデータを表示する。なお、表示領域２１Ａは、画面外写し込みＬＣＤ２１のうち、前述した表示領域２１Ｂを除く部分である。ＬＣＤドライバ２２は、後述するように、同一の制御信号を用いて画面内写し込みＬＣＤ２０と表示領域２１Ｂとを制御し、画面内写し込みＬＣＤ２０と表示領域２１Ｂとに同一のデータを表示させる。
【００１４】
なお、表示領域２１Ａに表示されたデータが写し込まれる撮影画面内の領域は、図５のイＡに示す領域であり、表示領域２１Ｂに表示されたデータが写し込まれる撮影画面外の領域は、図５のイＢに示す領域である。
図４において、画面外写し込みＬＣＤ２１の右側（表示領域２１Ｂに相当）のＳＥＧ１〜ＳＥＧ６は、画面内写し込みＬＣＤ２０のセグメント構成と同じである。この共通セグメントを同じ信号線で駆動することによって、ＬＣＤドライバ２２の小型化を実現することができる。なお、画面外写し込みＬＣＤ２１を画面内写し込みＬＣＤ２０との共通部分と非共通部分に分割して、共通部分を画面内写し込みＬＣＤ２０に置き換える構成も考えられるが、分割することにより写し込み文字列の位置が共通側と非共通側でずれることが考えられるので好ましくない。
【００１５】
また、画面外写し込み光源部２４は、図６に示すように、光源部２４Ａと光源部２４Ｂとを有する。光源部２４Ａは、前述した表示領域２１Ａを照明し、光源部２４Ｂは、前述した表示領域２１Ｂを照明する。ＣＰＵ１１は、後述するように、画面内写し込み光源部２３と光源部２４Ａと光源部２４Ｂとを独立に点灯または消灯可能である。また、画面内写し込み光源部２３と光源部２４Ａと光源部２４Ｂとは、お互いの照明光が干渉しないように光路を設ける。
【００１６】
このように、画面外写し込みＬＣＤ２１を照明するための光源を２つ（光源部２４Ａと光源部２４Ｂ）に分割することによって、分割せず１つの光源とした場合に比較して、照明される範囲の中央付近と両端の光量ムラを抑えるために必要な光路長がおよそ半分になり、モジュールを小型化できる。また、光路長が１／２になると光量が４倍となるので、光源の小型化が可能になるとともに、写し込みに必要な時間を短縮することが可能となる。また、画面外写し込みＬＣＤ２１のうち、画面内写し込みＬＣＤ２０との共通部分（表示領域２１Ｂ）のみのデータの写し込みや非共通部分（表示領域２１Ａ）のみのデータの写し込みが可能になり、写し込み形態のバリエーションが増加する。
【００１７】
なお、表示領域２１Ｂは、請求項の「表示領域」に対応する。また、光源部２４Ａは、請求項の「第２の光源部」に対応し、光源部２４Ｂは、請求項の「第１の光源部」に対応する。
以上説明した構成のカメラ１００のデータ写し込み時の動作について、図７に示すフローチャートを用いて説明する。
【００１８】
操作部材１２の不図示のレリーズボタンがユーザにより半押しされると、ＣＰＵ１１は、測光を開始し、被写界の状況に応じてシャッタスピードや絞りなどの撮影条件を決定する。ＣＰＵ１１は、この撮影条件や計時部１３からの時刻情報などを写し込みモジュール１４内のＬＣＤドライバ２２に供給し、ＬＣＤドライバ２２は、画面内写し込みＬＣＤ２０および画面外写し込みＬＣＤ２１を駆動する。カメラ１００が作動状態にある間は、ＣＰＵ１１からＬＣＤドライバ２２へ供給されるデータは一定周期で更新され続ける。
【００１９】
操作部材１２の不図示のレリーズボタンがユーザにより全押しされると、ＣＰＵ１１は、撮影シーケンスを開始する。まず、レリーズボタンが全押しされた瞬間に撮影条件や時刻情報などを確定し、写し込みタスクに移行する。
図７は、写し込みタスクの概略のフローチャートである。写し込みタスクに移行すると、ＣＰＵ１１は、まず、ステップＳ１０において、写し込み完了フラグをクリアする。これらのフラグをクリアすることにより、写し込みタスク中であることを示し、確定した撮影条件や時刻情報の更新を禁止する。
【００２０】
次に、ＣＰＵ１１は、ステップＳ１１において、その確定したデータをＬＣＤドライバ２２に供給する。ユーザが一度レリーズボタンを半押ししてから全押しするまでの間は、一定間隔で撮影条件や時刻情報が更新されているが、レリーズボタンを全押しする直前にデータが変化した場合は、実際の制御と写し込まれるデータが異なる可能性もある。そこで、写し込みタスク内で再度写し込みデータを供給することにより写し込まれるデータと実際のデータの食い違いを防ぐようにする。
【００２１】
次に、ＣＰＵ１１は、ステップＳ１２において、写し込むデータの表示変更が完了したか否かを判定する。この判定は所定の時間を経過したか否かに基づいて行われる。本実施形態では、写し込みの文字表示にＬＣＤ（画面内写し込みＬＣＤ２０および画面外写し込みＬＣＤ２１）を使用しているため、低温下などでは応答にやや時間が掛かり、表示変更が完了しないうちに光源が点灯してしまう場合がある。これを回避するために、前述した所定の時間を経過したか否かを判定する。このような判定を行うことにより、正確なデータの写し込みが可能となる。なお、所定の時間とは、ＬＣＤの表示変更の見込みの時間であり、低温ほど長く設定するようにすると良い。
【００２２】
写し込むデータの表示変更が完了したと判定すると、ＣＰＵ１１は、ステップＳ１３において、画面内写し込み光源部２３および画面外写し込み光源部２４を点灯させる。そして、ＣＰＵ１１は、ステップＳ１４において、撮影フィルムの感度に応じて設定された写し込み時間を経過したかを判定する。そして、写し込み時間を経過すると、ＣＰＵ１１は、ステップＳ１５において、画面内写し込み光源部２３および画面外写し込み光源部２４を消灯し、ステップＳ１６において写し込み完了フラグをセットして、写し込みタスクを終了する。
【００２３】
なお、実際のプログラムは、ＣＰＵ１１に複数のタイマー手段を内蔵して、撮影画面内へのデータの写し込みと撮影画面外へのデータの写し込みを並列処理する。撮影画面内へのデータの写し込み時間Ｔ１および撮影画面外へのデータの写し込み時間Ｔ２は光路長や光源の明るさなどが異なる場合もあり、それぞれ異なる時間を設定するのが一般的である。撮影画面内および撮影画面外の双方へのデータの写し込みを設定した場合には、設定時間が長い方のデータの写し込みが完了して初めて写し込み完了フラグをセットする。撮影画面内あるいは撮影画面外の一方のみへのデータの写し込みを行う場合は、それぞれの設定時間が経過したところで前記フラグをセットする。
【００２４】
ユーザによりレリーズボタンが全押しされた後、上記写し込みタスクと並行して不図示のシャッタ幕の走行等の処理も行われている。しかし、画面内写し込み光源部２３および画面外写し込み光源部２４のいずれかが点灯中の場合、撮影フィルムの巻き上げ動作は禁止である。したがって、上記写し込み完了フラグがセットされ、かつ、シャッタ幕の走行が完了していると撮影フィルムの巻き上げ動作が実行され、一連の撮影動作が終了する。
【００２５】
図８にデータの写し込み例を示す。図８において、アに示す領域とイＢに示す領域には、同じデータである日付が写し込まれており、イＡに示す領域には、撮影条件が写し込まれている。
次に、写し込み形態のバリエーションについて説明する。
まず、光源部２４Ａを点灯させない写し込み形態としても良い。このような形態では、撮影フィルム上にデータが写し込まれるのは撮影画面内の領域と、撮影画面外の領域のうち、撮影画面内と同一のデータを表示する部分とである。これらの部分には、主に日付や時刻を写し込むことから、表示の更新の頻度が低い。したがって、図７のフローチャートのステップＳ１２で説明した表示変更時のディレイを省略することができる。前述したディレイは常温下で数十ミリセカンドであるが、低温下では数百ミリセカンド以上にする必要があるので、このディレイを省略すると処理の高速化を図ることができる。また、写し込みに起因する連写速度の低下を最低限に押さえるというメリットがある。
【００２６】
図９にこのような写し込み形態におけるデータの写し込み例を示す。図９において、アに示す領域とイＢに示す領域には、同じデータである日付が写し込まれており、イＡに示す領域には、データが写し込まれていない。
次に、画面外写し込みＬＣＤ２１のうち画面内写し込みＬＣＤ２０と同じデータを表示する表示領域２１Ｂを利用して、例えば、使用レンズの焦点距離やスピードライト撮影時のスピードライト光の補正値など、さらに詳しい撮影条件を写し込む写し込み形態について説明する。このような写し込み形態では、撮影画面外に詳しい撮影条件を写し込むことができる一方、画面内写し込みＬＣＤ２０にも同一のデータが表示されるため、撮影画面内にも詳しい撮影条件が同じように写し込まれてしまい、好ましくない。そのため、表示領域２１Ｂに表示するデータの種類が、撮影画面内に写し込まれるデータとして、好ましくない場合には、画面内写し込み光源部２３を点灯させないようにする。
【００２７】
図１０にこのような写し込み形態におけるデータの写し込み例を示す。図１０において、アに示す領域には、データが写し込まれていない。そして、イＡに示す領域とイＢに示す領域とに、詳しい撮影条件が写し込まれている。
以上説明したように、第１実施形態によれば、撮影フィルム上の撮影画面内の領域に写し込むデータを表示する第１の液晶表示素子（画面内写し込みＬＣＤ２０）と、撮影フィルム上の撮影画面外の領域に写し込むデータを表示する第２の液晶表示素子（画面外写し込みＬＣＤ２１）と、第１の液晶表示素子を照明する第１の光源（画面内写し込み光源部２３）と、第２の液晶表示素子を照明する第２の光源（画面外写し込み光源部２４）と、第１の液晶表示素子および第２の液晶表示素子を制御するとともに、第１の光源および第２の光源を点灯または消灯してデータの写し込みを行う制御部（ＣＰＵ１１およびＬＣＤドライバ２２）とを備え、第２の液晶表示素子は、その一部に、第１の液晶表示素子が表示するデータと同一のデータを表示する表示領域（表示領域２１Ｂ）を有し、制御部は、同一の制御信号を用いて第１の液晶表示素子と表示領域とを制御し、第１の液晶表示素子と表示領域とに同一のデータを表示させる。すなわち、撮影画面内用と撮影画面外用のモジュールの一部を共有して１つにまとめる。したがって、小型化を実現しつつ、撮影フィルム上の撮影画面内の領域および撮影画面外の領域のそれぞれにデータを写し込むことができる。
【００２８】
また、第１実施形態によれば、第２の光源は、表示領域を照明する第１の光源部と、第２の液晶表示素子のうち表示領域を除く部分を照明する第２の光源部とを有し、制御部は、第１の光源と第１の光源部と第２の光源部とを独立に点灯または消灯可能である。また、制御部は、表示領域に表示させるデータの種類に応じて（撮影画面内に写し込まれるデータとして、好ましくない場合など）、第１の光源を点灯させないようにすることも可能である。したがって、効率的な部品配置として小型化を実現するとともに様々な写し込み形態に対応することができる。
【００２９】
《第２実施形態》
以下、図面を用いて本発明の第２実施形態について説明する。第２実施形態のカメラは第１実施形態のカメラ１００と同様の構成である。したがって、以下では、第１実施形態と同様の部分については、第１実施形態と同様の符号を用いて説明を行う。また、以下では、第１実施形態と異なる部分についてのみ説明を行う。
【００３０】
第２実施形態では、画面内写し込みＬＣＤ２０と画面外写し込みＬＣＤ２１の表示領域２１Ｂとの表示内容を適宜変更して、画面内写し込みＬＣＤ２０により写し込まれるデータと表示領域２１Ｂにより写し込まれるデータとを異なるものにする実施形態について説明する。
第２実施形態のカメラ１００のデータ写し込み時の動作について、図１１に示すフローチャートを用いて説明する。
【００３１】
ＣＰＵ１１は、ステップＳ２０において、図７のステップＳ１０と同様に、写し込み完了フラグをクリアし、ステップＳ２１において、図７のステップＳ１１と同様に、確定したデータをＬＣＤドライバ２２に供給する。このとき、供給するデータは、撮影フィルム上の撮影画面内の領域へ写し込むデータである。次に、ＣＰＵ１１は、ステップＳ２２において、図７のステップＳ１２と同様に、写し込むデータの表示変更が完了したか否かを判定する。なお、このときに判定の対象となるのは、画面内写し込みＬＣＤ２０のみである。
【００３２】
次に、ＣＰＵ１１は、ステップＳ２３において、画面内写し込み光源部２３のみを点灯させ、ステップＳ２４において、写し込み時間を経過したかを判定する。さらに、ＣＰＵ１１は、ステップＳ２５において、画面内写し込み光源部２３を消灯する。ステップＳ２１からステップＳ２５までの処理により、撮影フィルム上の撮影画面内の領域へのデータの写し込みが完了する。
【００３３】
次に、ＣＰＵ１１は、ステップＳ２６において、図７のステップＳ１１と同様に、確定したデータをＬＣＤドライバ２２に供給する。このとき、供給するデータは、撮影フィルム上の撮影画面外の領域へ写し込むデータである。次に、ＣＰＵ１１は、ステップＳ２７において、図７のステップＳ１２と同様に、写し込むデータの表示変更が完了したか否かを判定する。なお、このときに判定の対象となるのは、画面外写し込みＬＣＤ２１（表示領域２１Ａおよび表示領域２１Ｂ）のみである。
【００３４】
次に、ＣＰＵ１１は、ステップＳ２８において、画面外写し込み光源部２４（光源部２４Ａおよび光源部２４Ｂ）のみを点灯させ、ステップＳ２９において、写し込み時間を経過したかを判定する。さらに、ＣＰＵ１１は、ステップＳ３０において、画面外写し込み光源部２４を消灯する。ステップＳ２６からステップＳ３０までの処理により、撮影フィルム上の撮影画面外の領域へのデータの写し込みが完了する。
【００３５】
最後に、ＣＰＵ１１は、ステップＳ３１において、図７ステップＳ１６と同様に、写し込み完了フラグをセットして、写し込みタスクを終了する。
このような手順でデータの供給や光源の点灯または消灯を行うことで、図４のように画面内写し込みＬＣＤ２０と画面外写し込みＬＣＤ２１とが共通の信号ラインでＬＣＤドライバ２２により駆動される場合でも、撮影画面内に写し込まれるデータと撮影画面外に写し込まれるデータとを異なるものにすることができる。したがって、撮影フィルム上に写し込み可能な情報量を増やすことが可能となる。
【００３６】
図１２に本実施形態におけるデータの写し込み例を示す。図１２において、アに示す領域には、日付が写し込まれており、イＡに示す領域とイＢに示す領域とに撮影条件を示すデータが写し込まれており、かつ、アに示す領域とイＢに示す領域とで異なるデータが写し込まれている。
以上説明したように、第２実施形態によれば、制御部は、第１の光源と第１の光源部とのいずれかを点灯させてデータの写し込みを行い、第１の光源を点灯してデータの写し込みを行う際と、第１の光源部を点灯してデータの写し込みを行う際とで、第１の液晶表示素子および表示領域に表示させるデータを変更する。したがって、小型化を実現しつつ、撮影画面内と撮影画面外とに異なるデータを写し込むことが可能となり、写し込み可能な情報量を増やすことができる。
【００３７】
なお、図１１のステップＳ２２およびステップＳ２７における判定で判定の対象とする時間は、同じにしても良いし、それぞれに定めるようにしても良い。また、図１１のステップＳ２４およびステップＳ２９における判定で判定の対象とする写し込み時間も、同様に、同じにしても良いし、それぞれに定めるようにしても良い。
【図面の簡単な説明】
【００３８】
【図１】第１実施形態のカメラ１００の機能ブロック図である。
【図２】写し込みモジュール１４の構成を示す図である。
【図３】データの写し込み例を示す図である。
【図４】画面内写し込みＬＣＤ２０および画面外写し込みＬＣＤ２１について説明する図である。
【図５】データの写し込み例を示す図である。
【図６】画面内写し込み光源部２３および画面外写し込み光源部２４について説明する図である。
【図７】第１実施形態のカメラ１００の動作を示すフローチャートである。
【図８】データの写し込み例を示す図である。
【図９】データの写し込み例を示す図である。
【図１０】データの写し込み例を示す図である。
【図１１】第２実施形態のカメラ１００の動作を示すフローチャートである。
【図１２】データの写し込み例を示す図である。
【符号の説明】
【００３９】
１０  撮像部
１１  ＣＰＵ
１２  操作部材
１３  計時部
１４  写し込みモジュール
２０  画面内写し込みＬＣＤ
２１  画面外写し込みＬＣＤ
２１Ａ，２１Ｂ  表示領域
２２  ＬＣＤドライバ２２
２３  画面内写し込み光源部
２４  画面外写し込み光源部
２４Ａ，２４Ｂ  光源部
１００  カメラ
【図１】
2006119190.tif 000003
【図２】
2006119190.tif 000004
【図３】
2006119190.tif 000005
【図４】
2006119190.tif 000006
【図５】
2006119190.tif 000007
【図６】
2006119190.tif 000008
【図７】
2006119190.tif 000009
【図８】
2006119190.tif 000010
【図９】
2006119190.tif 000011
【図１０】
2006119190.tif 000012
【図１１】
2006119190.tif 000013
【図１２】
2006119190.tif 000014